(57)【要約】【課題】昇降部材を便器上に適切にロックすることができる昇降装置を提供する。【解決手段】昇降装置１は、便器１０の上面に固定される固定ベース部材２と、固定ベース部材２の上方に配置された昇降ベース部材３と、便器１０に固定され、昇降ベース部材３を上下方向に昇降可能に支持する昇降機構４２と、昇降ベース部材３の昇降を規制するロック部７５０と、を備え、ロック部７５０は、昇降機構４２よりも左右方向の側方に配置されていることを特徴とする。【選択図】図３
2019136288.tif 000002
【特許請求の範囲】
【請求項１】
便器の上面に固定される固定ベース部材と、
該固定ベース部材の上方に配置された昇降ベース部材と、
前記便器に固定され、前記昇降ベース部材を上下方向に昇降可能に支持する昇降機構と、
前記昇降ベース部材の昇降を規制するロック部と、を備え、
該ロック部は、前記昇降機構よりも左右方向の側方に配置されていることを特徴とする昇降装置。
【請求項２】
前記昇降ベース部材には、前記ロック部を操作する操作部が設けられ、
前記操作部は、前記昇降ベース部材の左右方向の端部に設けられている請求項１に記載の昇降装置。
【請求項３】
前記ロック部は、前記昇降機構よりも前方に配置されている請求項１または２に記載の昇降装置。
【発明の詳細な説明】
【技術分野】
【０００１】
本発明は、昇降装置に関するものである。
【背景技術】
【０００２】
従来から、便器の上部に配置される機能部や便座、便蓋等の部材を便器に対して上下方向に昇降させる昇降装置が知られている。上下方向に昇降する機能部や便座などの部材（以下、昇降部材と称する。）を上昇させると便器と昇降部材と空間が生じるため、便器の上面及び昇降部材の下面等の掃除を容易に行うことができる。
【０００３】
例えば、便器の上面の後部に昇降装置が設置され、昇降装置が便座及び便蓋を昇降可能に支持する便器装置が提案されている（下記の特許文献１参照）。
【０００４】
特許文献１に記載された便器装置では、昇降装置が設置される便器の後部には機能部も設置されるため、昇降装置が設置スペースを占領して、機能部の設置位置や機能部の大きさ等に制限が生じる等の不都合があった。
【０００５】
そこで、昇降装置を洗浄ノズルの下方等、従来よりも前方位置に配置した便器装置が提案されている（下記の特許文献２参照）。この便器装置では、便器に固定された下プレートに形成された貫通孔と、便器に対して昇降可能に支持された昇降部材に設けられた係合部と、を有するロック部が設けられている。係合部が貫通孔に係合することで、昇降装置の昇降を規制している。ロック部は、便器装置の左右方向の略中央に設けられている。
【先行技術文献】
【特許文献】
【０００６】
【特許文献１】国際公開第２００７／１２９４６０号
【特許文献２】特開２０１７−１２４１１５号公報
【発明の概要】
【発明が解決しようとする課題】
【０００７】
しかしながら、特許文献２に記載された便器装置では、ロック部が設置される便器装置の左右方向の略中央で、陶器で形成された便器が中空に形成されている。このため、製造工程等において便器が変形しやすい。よって、便器に固定された下プレートの貫通孔及び便器に支持された昇降部材の係合部がそれぞれ適切な位置に配置されず、適切にロックすることができなかったり、ガタツキが生じたりする等の問題点がある。
【０００８】
そこで、本発明は、上記事情に鑑みてなされたものであり、昇降部材を適切にロックすることができる昇降装置を提供する。
【課題を解決するための手段】
【０００９】
上記目的を達成するために、本発明は以下の手段を採用している。
すなわち、本発明に係る昇降装置は、便器の上面に固定される固定ベース部材と、該固定ベース部材の上方に配置された昇降ベース部材と、前記便器に固定され、前記昇降ベース部材を上下方向に昇降可能に支持する昇降機構と、前記昇降ベース部材の昇降を規制するロック部と、を備え、該ロック部は、前記昇降機構よりも左右方向の側方に配置されていることを特徴とする。
【００１０】
このように構成された昇降装置では、昇降ベース部材をロックするロック部は、昇降ベース部材を昇降可能に支持する昇降機構よりも左右方向の側方に配置されている。便器には左右方向の側方に床面から立設された壁部が設けられているため、便器は左右方向の側方では撓み等の変形が抑制されている。よって、昇降ベース部材（昇降部材）は便器の側方の壁部に支持されて便器上に適切に設置されるため、ロック部により昇降ベース部材を便器上にがたつき等なく適切にロックすることができる。
【００１１】
また、本発明に係る昇降装置では、前記昇降ベース部材には、前記ロック部を操作する操作部が設けられ、前記操作部は、前記昇降ベース部材の左右方向の端部に設けられていてもよい。
【００１２】
このように構成された昇降装置では、操作部は昇降ベース部材の左右方向の端部に設けられ、ロック部は昇降機構よりも左右方向の側方に配置されている。よって、操作部からロック部までの距離を短くすることができるため、操作部及びロック部の部品をコンパクトにできるとともに、操作部の操作力を抑制することができる。
【００１３】
また、本発明に係る昇降装置では、前記ロック部は、前記昇降機構よりも前方に配置されていてもよい。
【００１４】
このように構成された昇降装置では、一般的に、固定ベース部材を便器上に固定する固定部材は後側に設けられるため、昇降機構は固定部材よりも前方に配置されている。よって、固定ベース部材と便器との間に、後側では隙間が生じないが、前側では隙間が生じやすい。ロック部が昇降機構よりも前方に配置されているため、昇降ベース部材及び固定ベース部材の前部と便器との間に生じる隙間を抑制することができる。したがって、昇降装置の前方から見て隙間が抑えられ見栄えがよいとともに、昇降装置の前部のがたつきを抑制することができる。
【発明の効果】
【００１５】
本発明に係る昇降装置によれば、昇降部材を適切にロックすることができる。
【図面の簡単な説明】
【００１６】
【図１】本発明の一実施形態に係る昇降装置を備えた便器装置を斜め前方から見た斜視図である。
【図２】本発明の一実施形態に係る昇降装置を備えた便器装置を斜め前方から見た斜視図の一部であり、（ａ）昇降ベース部材が下方に位置する状態を示し、（ｂ）昇降ベース部材が上方に位置する状態を示している。
【図３】本発明の一実施形態に係る昇降装置の構成を示す平面図である。
【図４】本発明の一実施形態に係る昇降装置の構成を断面図である。
【図５】図３のＡ−Ａ線断面図である。
【図６】図５のＢ部拡大図である。
【図７】本発明の一実施形態に係る昇降装置のロック部及びその周辺の斜視図である。
【図８】本発明の一実施形態に係る昇降装置のロック部がロックされた状態と解除された状態との途中の段階を示した図６に相当する図である。
【図９】本発明の一実施形態に係る昇降装置のロック部が解除された状態を示した図６に相当する図である。
【発明を実施するための形態】
【００１７】
本発明の一実施形態に係る昇降装置について、図面を用いて説明する。
図１は、本発明の一実施形態に係る昇降装置を備えた便器装置を斜め前方から見た斜視図である。図２は、本発明の一実施形態に係る昇降装置を備えた便器装置を斜め前方から見た斜視図の一部であり、（ａ）昇降ベース部材が下方に位置する状態を示し、（ｂ）昇降ベース部材が上方に位置する状態を示している。
図１及び図２に示すように、便器装置１００は、便器１０と、便座１３（図２参照。以下同じ。）と、便蓋１４と、機能部（不図示。以下同じ。）と、上部カバー部材１５と、下部カバー部材１６と、昇降装置１（図２参照。以下同じ。）と、を備えている。
なお、下記の説明において、利用者が便座１３に着座した状態で前方を向く方向を「前方」とし、反対側を「後方」とし、これらを結ぶ方向を前後方向とする。また、便座１３に着座した利用者から見て左側を「左側」とし、右側を「右側」とし、これらを結ぶ方向を左右方向とする。
【００１８】
便器１０は、床面から立設された側壁部１１で外周面が形成されている。図２に示すように、便器１０の上部には、下方に凹むボウル部１２が形成されている。図２（ｂ）に示すように、便器１０の後部の上面１０ｕは、略水平に形成されている。
【００１９】
便座１３及び便蓋１４は、便器１０の上方において、便器１０に対して回動可能に取り付けられている。機能部は、洗浄ノズル、電源ユニット、制御回路基板等の機能部材を主に有している。機能部は、後述するフロントベース部材３（図３参照）上に設置されている。上部カバー部材１５は、機能部の上方及び左右両側方を覆っている。下部カバー部材１６は、便器装置１００の下部且つ後部の左右両側方に配置され、便器１０の後部及び配管等を側方から覆う。
【００２０】
図３は、昇降装置１の構成を示す平面図である。
図３に示すように、昇降装置１は、リアベース部材（固定ベース部材）２と、フロントベース部材（昇降ベース部材）３と、昇降体４と、ロック機構７と、を有している。
【００２１】
リアベース部材２は、便器１０の後部の上面に設置されている。リアベース部材２は、便器１０の上面に設置されるリア底部プレート２１と、リア底部プレート２１の周縁から立設されたリア周縁プレート２２と、を有している。
【００２２】
リア底部プレート２１の下面には、下方に延びる固定軸部材２３（図５参照）が設けられている。固定軸部材２３が、便器１０の取付穴（不図示）に挿入されることで、リアベース部材２は便器１０上に設置されている。リア底部プレート２１には、洗浄タンク（不図示）等が設置されている。
【００２３】
フロントベース部材３は、便器１０の後部の上面に設置されている。フロントベース部材３は、昇降体４により、便器１０の上面に配置された定位置（図２（ａ）参照）から、便器１０の上方に配置された上昇位置（図２（ｂ）参照）まで移動可能とされている。
【００２４】
フロントベース部材３は、フロント底部プレート３１を有している。フロント底部プレート３１は、後部がリア底部プレート２１の前部の上面に設置され、前部が便器１０の上面に設置されている。
【００２５】
図４は、昇降装置１の構成を断面図であり、定位置を実線で示し、上昇位置の状態を二点鎖線で示している。
図４に示すように、昇降体４は、上プレート４１と、伸縮軸機構部（昇降機構）４２と、を有している。
【００２６】
上プレート４１は、板状に形成され、板厚方向を上下方向に向けて配置されている。上プレート４１には、フロントベース部材３に設けられた係止部（不図示。以下同じ。）が係止されている。
【００２７】
伸縮軸機構部４２は、外筒部５０と、底部閉止部材６１と、内筒部６３と、圧縮ばね部材６５と、上部ねじ構成部６７と、を有している。伸縮軸機構部４２は、固定軸部材２３よりも前方に配置されている。
【００２８】
外筒部５０は、便器１０（図２参照。以下同じ。）に形成された取付穴（不図示。以下同じ。）に挿通されている。これにより、外筒部５０は便器１０上に設置されている。外筒部５０は、上下方向に延び、外周面及び下端部の内周面に複数のねじ山が設けられた円筒状の胴部５１と、胴部５１の上端部に設けられたフランジ部５２と、を有している。胴部５１の上端部は、リアベース部材２のリア底部プレート２１に形成された挿通孔２１ｈに挿通されている。フランジ部５２は、リア底部プレート２１に取り付けられている。胴部５１の下端部には、底部閉止部材６１が嵌め込まれている。
【００２９】
内筒部６３及び圧縮ばね部材６５は、外筒部５０の内部に配置されている。内筒部６３は、上下方向に延びている。圧縮ばね部材６５は、底部閉止部材６１と内筒部６３との間に配置され、内筒部６３を上昇させる方向に付勢力を付与している。これにより、伸縮軸機構部４２は上下方向に伸縮可能に構成されている。内筒部６３の上端部にはカバー部材６４配置されている。内筒部６３の上方から上部ねじ構成部６７がねじ込まれている。換言すると、内筒部６３の上端部と上部ねじ構成部６７との間に、カバー部材６４が挟み込まれている。上部ねじ構成部６７の上端部は、上プレート４１に形成された取付孔４１ｈ内及びフロントベース部材３のフロント底部プレート３１の下面に形成された凹部３１ａ内に配置されている。なお、伸縮軸機構部４２の構成は、適宜設定可能である。
【００３０】
図２（ａ）に示す定位置では、図４に実線で示すように内筒部６３は、外筒部５０内に配置されている。また、図２（ｂ）に示す上昇位置では、図４に二点鎖線で示すように、内筒部６３の上部は、外筒部５０の上端部から上方に突出した位置に配置されている。
【００３１】
図５は、図３のＡ−Ａ線断面図である。
図５に示すように、ロック機構７は、フロントベース部材３に設けられたロックユニット７０と、リアベース部材２に設けられた係止壁部２１２と、を有している。
【００３２】
ロック機構７は、昇降装置１の左右方向の両端部にそれぞれ設けられている。換言すると、ロックユニット７０は、フロントベース部材３の左右方向の両端部にそれぞれ設けられている。係止壁部２１２は、リアベース部材２の左右方向の両端部にそれぞれ設けられている。
【００３３】
ロック機構７の下方、詳細にはわずかに左右方向の中央側の下方には、便器１０の側壁部１１が配置されている。
【００３４】
図３に示すように、各ロック機構７は、伸縮軸機構部４２よりも前方且つ伸縮軸機構部４２よりも左右方向の側方に配置されている。
【００３５】
図３及び図５に示すように、フロントベース部材３には、上方に突出するロック収容部３６が設けられている。ロック収容部３６は、下方及び左右方向の側方に開口する形状とされている。ロック収容部３６内に、ロックユニット７０の一部が配置されている。
【００３６】
図６は、図５のＢ部拡大図である。図７は、ロックユニット７０の斜視図である。
図６及び図７に示すように、ロックユニット７０は、ケース７０１と、係止軸７０２と、ロックばね部材７０３と、ロックレバー７０４と、を有している。
なお、以下の説明において、左右方向のうち昇降装置１の左右方向の側方（左右方向の端部側）を左右方向の一方側と称し、反対側を左右方向の他方側と称する。
【００３７】
図７に示すようにケース７０１は、平面視矩形状に配置されたケース側壁部７１０ａ，７１０ｂ，７１０ｃ，７１０ｄを有している。ケース側壁部７１０ａ，７１０ｂは、昇降装置１の前後方向に離間して配置されている。ケース側壁部７１０ｃは、左右方向の一方側に沿って配置されている。ケース側壁部７１０ｄは、左右方向の他方側に沿って配置されている。
【００３８】
図６に示すように、ケース側壁部７１０ｄの下端部には、左右方向の他方側に向かって延びるケース底部７１１が設けられている。ケース底部７１１には、上下方向に貫通する取付孔７１１ｈが形成されている。取付孔７１１ｈに挿通されたねじ７１１ｚが、ロック収容部３６にねじ込まれている。
【００３９】
図７に示すように、ケース側壁部７１０ｃの下端部には、下方に開口する挿通孔７１０ｈが形成されている。挿通孔７１０ｈには、後述するロックレバー７０４が挿通されている。
【００４０】
ケース側壁部７１０ａ，７１０ｂには、それぞれ対向するケース側壁部７１０ｂ，７１０ａ側に突出する段部７１３が設けられている。対向する段部７１３の下端部どうしは、連結底部７１４（図６参照。以下同じ。）で連結されている。
【００４１】
各段部７１３及び連結底部７１４の内面には、内方に向かって突出する軸係止壁部７１５が連続して設けられている。
【００４２】
ケース側壁部７１０ｄと軸係止壁部７１５との間に、係止軸７０２の頭部７２１が配置されている。係止軸７０２の軸部７２２は、頭部７２１から左右方向の一方側に向かって延びている。
【００４３】
係止軸７０２の軸部７２２の外周に沿って、ロックばね部材７０３が旋回されている。ロックばね部材７０３は、左右方向に伸縮可能とされている。
【００４４】
ロックレバー７０４は、ケース７０１内に、ロックばね部材７０３よりも左右方向の一方側寄りに配置されている。ロックレバー７０４は、被付勢部７４０と、ロック部７５０と、レバー部（操作部）７６０と、を有している。被付勢部７４０、ロック部７５０及びレバー部７６０は、一体として形成されている。
【００４５】
図６に示すように、被付勢部７４０は、ロックばね部材７０３により、左右方向に一方側に付勢されている。ロック部７５０は、被付勢部７４０の左右方向の他方側から下方に延びている。ロック部７５０は、便器１０よりも左右方向の端部側に突出している。ロック部７５０の下端部には、左右方向の一方側に突出する係止部７５１が設けられている。
【００４６】
ロック部７５０の下端部には、左右方向に沿う鉛直断面で円弧状をなす摺動面７５０ａが形成されている。係止部７５１の上面には、略水平をなす係止面７５１ａが形成されている。
【００４７】
リアベース部材２のリア底部プレート２１には、上下方向に貫通する挿通孔２１ｊが形成されている。リア底部プレート２１において、挿通孔２１ｊの左右方向の一方側には、上方に立設された立設壁部２１１が設けられている。立設壁部２１１の上端部には、左右方向の他方側に延びる係止壁部２１２が設けられている。係止壁部２１２の左右方向の他方側の端部には、下方に向かうにしたがって次第に左右方向の他方側に傾斜する傾斜面２１２ａが形成されている。
【００４８】
レバー部７６０は、被付勢部７４０の左右方向の一端部から下方に延びている。レバー部７６０の下端部は、便器１０の上面１０ｕよりも下方まで延びている。レバー部７６０は、下方に向かうにしたがって次第に左右方向の他方側に向かうように傾斜している。
【００４９】
定位置において、ロック部７５０の下端部は、リア底部プレート２１の挿通孔２１ｊ内に配置されている。係止部７５１の係止面７５１ａは、リアベース部材２の係止壁部２１２の下面に係止（当接）されて、ロック機構７がロックされている。
【００５０】
次に、上記の昇降装置１を手動にて上昇及び下降させる方法について説明する。
ロック機構７がロックされた状態では、図６に示すように、ロックレバー７０４の係止面７５１ａは、リアベース部材２の係止壁部２１２の下面に係止されている。また、図４に実線で示すように、伸縮軸機構部４２の圧縮ばね部材６５が収縮していて、定位置にある。
【００５１】
図８は、ロック機構７がロックされた状態と解除された状態との途中の段階を示した図６に相当する図である。
この状態から、図８に示すように、レバー部７６０を左右方向に他方側に押し込むと、ロックユニット７０のロックばね部材７０３が収縮する。ロックレバー７０４は、左右方向の他方側に移動する。ロックレバー７０４の係止部７５１の上端部がリアベース部材２の係止壁部２１２の端部に当接する位置まで、ロックレバー７０４が移動すると、ロックレバー７０４のロック部７５０の摺動面７５０ａはリアベース部材２の係止壁部２１２の傾斜面２１２ａに沿って上方に摺動する。ロックレバー７０４は、上方且つ左右方向の一方側に向かう方向に沿って移動して、ロック機構７が解除される。
【００５２】
ロック機構７が解除された状態で、フロントベース部材３を手動で上方に持ち上げる。図４の二点鎖線で示すように、圧縮ばね部材６５が伸長し、圧縮ばね部材６５の付勢力により内筒部６３が上方に付勢さる。内筒部６３の上端部に設けられたカバー部材６４が上プレート４１を上方に押し上げ、上プレート４１がフロントベース部材３のフロント底部プレート３１を上方に押し上げる。このように、フロントベース部材３及びフロントベース部材３に係止された上プレート４１をリアベース部材２に対して容易に上昇させることができる。これにより、フロントベース部材３が、便器１０の上方に配置された上昇位置に移動させることができる。
【００５３】
図９は、ロック機構７が解除された状態を示した図６に相当する図である。
図９に示すように、上昇位置では、ロックユニット７０もリアベース部材２よりも上方に配置されている。
【００５４】
図２（ｂ）に示すように、上昇位置では、フロントベース部材３とリアベース部材２及び便器１０との空間が生じるため、便器１０の上面、リアベース部材２の上面や及びフロントベース部材３の下面等の掃除を行うことができる。
【００５５】
また、掃除後に、上昇位置から定位置まで、フロントベース部材３を下降させるには、フロントベース部材３を押し下げる。これにより、伸縮軸機構部４２の圧縮ばね部材６５は収縮し、内筒部６３が下方に移動する。
【００５６】
図８に示すように、ロックレバー７０４のロック部７５０の摺動面７５０ａが、リアベース部材２の係止壁部２１２の傾斜面２１２ａに沿って下方に摺動する。ロックレバー７０４は、下方且つ左右方向の他方側に向かう方向に沿って移動する。ロックレバー７０４の係止部７５１の上端部がリアベース部材２の係止壁部２１２の端部に当接する位置まで、ロックレバー７０４が移動すると、図６に示すように、ロックユニット７０のロックばね部材７０３が伸長し、ロックレバー７０４は左右方向の一方側に移動し、ロック機構７がロックされる。また、伸縮軸機構部４２の内筒部６３は、外筒部５０内に配置され定位置に位置する。
【００５７】
このように構成された便器装置１００では、フロントベース部材３をロックするロック部７５０は、フロントベース部材３を昇降可能に支持する伸縮軸機構部４２よりも左右方向の側方に配置されている。便器１０には左右方向の側方に床面から立設された側壁部１１が設けられているため、便器１０は左右方向の側方では撓み等の変形が抑制されている。よって、フロントベース部材３は便器１０の側壁部１１に支持されて便器１０上に適切に設置されるため、ロック部７５０によりフロントベース部材３を便器１０上にがたつき等なく適切にロックすることができる。
【００５８】
また、レバー部７６０はフロントベース部材３の左右方向の端部に設けられ、ロック部７５０は伸縮軸機構部４２よりも左右方向の側方に配置されている。よって、レバー部７６０からロック部７５０までの距離を短くすることができるため、レバー部７６０及びロック部７５０の部品をコンパクトにできるとともに、レバー部７６０の操作力を抑制することができる。
【００５９】
また、伸縮軸機構部４２は、リアベース部材２を便器１０上に固定する固定軸部材２３よりも、前方に配置されている。よって、リアベース部材２と便器１０との間に、後側では隙間が生じないが、前側では隙間が生じやすい。ロック部７５０が伸縮軸機構部４２よりも前方に配置されているため、フロントベース部材３及びリアベース部材の前部と便器１０との間に生じる隙間を抑制することができる。したがって、昇降装置１の前方から見て隙間が抑えられ見栄えがよいとともに、昇降装置１の前部のがたつきを抑制することができる。
【００６０】
また、ロック部７５０は、便器１０よりも左右方向の端部側に突出している。また、レバー部７６０の下端部は、便器１０の上面１０ｕよりも下方まで延びている。よって、利用者がレバー部７６０に手をかけて操作しやすいとともに、ロック部７５０が便器１０と干渉することが抑制される。
【００６１】
なお、本発明に係る便器装置１００は、上述した実施形態に限定されるものではなく、本発明の要旨を逸脱しない範囲で適宜の変更や置換等が可能である。
【００６２】
例えば、上記に示す実施形態では、ロック機構７は昇降装置１の左右方向の端部に設けられ、ロック部７５０は伸縮軸機構部４２よりも前方に配置されているが、本発明はこれに限られない。ロック部７５０が、昇降機構よりも左右方向の側方に配置されていればよい。
【００６３】
また、上記に示す実施形態では、レバー部７６０はフロントベース部材３の左右方向の端部に設けられているが、本発明はこれに限られず、操作部の設置位置は適宜設定可能である。
【００６４】
また、上記に示す実施形態では、ロック部７５０及びレバー部７６０は、一体として形成されているが、本発明はこれに限られない。操作部はロック部を操作可能であれば、操作部がロック部と連結される等、操作部とロック部とが別体で構成されていてもよい。
【符号の説明】
【００６５】
１…昇降装置
２…リアベース部材（固定ベース部材）
３…フロントベース部材（昇降ベース部材）
４…昇降体
７…ロック機構
１０…便器
１１…側壁部
１３…便座
１４…便蓋
４１…上プレート
４２…伸縮軸機構部（昇降機構）
５０…外筒部
６１…底部閉止部材
６３…内筒部
６５…圧縮ばね部材
６７…上部ねじ構成部
７０…ロックユニット
１００…便器装置
２１２…係止壁部
２１２ａ…傾斜面
７０１…ケース
７０２…係止軸
７０３…ロックばね部材
７０４…ロックレバー
７４０…被付勢部
７５０…ロック部
７５０ａ…摺動面
７５１…係止部
７５１ａ…係止面
７６０…レバー部（操作部）
【図１】
2019136288.tif 000003
【図２】
2019136288.tif 000004
【図３】
2019136288.tif 000005
【図４】
2019136288.tif 000006
【図５】
2019136288.tif 000007
【図６】
2019136288.tif 000008
【図７】
2019136288.tif 000009
【図８】
2019136288.tif 000010
【図９】
2019136288.tif 000011